(57)【要約】【課題】所望の温度の湯を手軽に利用でき、かつ省エネにも優れた給湯装置を提供すること。【解決手段】出湯経路１４の途中を分岐して、加熱容器５と分岐部１６を連通する還流経路１７を設け、分岐部１６に経路の切替えを行なう切替え弁１８を配して一連の出湯経路又は還流経路のいずれかを択一的に形成するとともに、出湯経路１４の途中に、通過する湯の温度を更に上昇せしめる第２のヒータ２０を配したことによって、加熱容器５内の湯を比較的低温で保温しておき、所望の湯の温度が保温温度より高い場合は、第２の加熱手段２０によって出湯経路１４を通過する湯を前述の温度差分だけ加熱して所望の温度まで更に上昇させれば、所望の温度の湯が殆ど待たずして利用できる。【選択図】図１
2005214464.tif 000002
【特許請求の範囲】
【請求項１】
水を収容する加熱容器と、前記加熱容器底部に配され前記加熱容器内の水を加熱する第１の加熱手段を有する加熱ユニットと、水道管から前記加熱容器への給水経路に設けられ、前記加熱容器への給水を制御する給水弁と、前記加熱ユニットで加熱した湯を器体外へ吐出する出湯口を有する吐出ユニットと、前記加熱容器と前記出湯口とを連通する出湯経路と、前記加熱容器内の湯を、前記出湯経路を介して前記出湯口に輸送する導出手段と、前記出湯経路の途中に設けた分岐部と前記加熱容器とを連通する還流経路と、前記分岐部に設けた前記出湯経路又は前記還流経路のいずれかの経路に切替える切替え弁と、前記出湯経路の途中に設けた通過する湯の温度を加熱する第２の加熱手段とを備え、前記出湯経路の湯を還流経路を介して還流し、前記加熱容器の湯温とほぼ同じ温度にしたのち、前記切替え弁を切替えて前記第２の加熱手段でさらに温度を上昇せしめて吐出する構成とした給湯装置。
【請求項２】
第２の加熱手段を導出手段と分岐部との間の経路の途中に設ける構成とした請求項１に記載の給湯装置。
【請求項３】
第２の加熱手段を分岐部と出湯口との間の経路の途中に設ける構成とした請求項１に記載の給湯装置。
【請求項４】
第２の加熱手段によって加熱された湯の温度を検知する第２の温度検知手段を配し、これにより得た温度情報によって前記第２の加熱手段への電力供給量の調節を行なう請求項１〜３のいずれか１項に記載の給湯装置。
【請求項５】
出湯経路のうち、第２の加熱手段を配した箇所を通過する前の湯の温度を検知する第３の温度検知手段を配し、これにより得た温度情報によって前記第２の加熱手段への電力供給量の調節を行なう請求項１〜３のいずれか１項に記載の給湯装置。
【請求項６】
第２の加熱手段において、その発熱部分の形状を略円筒状に形成して、湯を前記円筒部の少なくとも内側を通過させてなる請求項１〜３のいずれか１項に記載の給湯装置。
【請求項７】
水を収容する加熱容器と、前記加熱容器底部に配され前記加熱容器内の水を加熱する第１の加熱手段とを有する加熱ユニットと、水道管から前記加熱容器への給水経路に設けられ、前記加熱容器への給水を制御する給水弁と、前記加熱ユニットで加熱した湯を器体外へ吐出する出湯口を有する吐出ユニットと、前記加熱容器と前記出湯口とを連通する出湯経路と、前記加熱容器内の湯を、前記出湯経路を介して前記出湯口に輸送する導出手段とを備えるとともに、前記出湯経路の途中に貯湯部を設け、前記貯湯部内の湯の温度を更に上昇せしめる第２の加熱手段を配した給湯装置。
【請求項８】
出湯経路の途中を分岐して、加熱容器と前記分岐部を連通する還流経路を設け、前記分岐部に経路の切替えを行なう切替え弁を配し、前記出湯経路又は前記還流経路のいずれかを択一的に形成する構成とした請求項７に記載の給湯装置。
【請求項９】
出湯経路のうち、導出手段と貯湯部との間の経路中に開閉弁を配してなる請求項７に記載の給湯装置。
【発明の詳細な説明】
【技術分野】
【０００１】
本発明は、一般家庭の台所や業務用の厨房等で使用される、水道管に接続された給湯装置に関するものである。
【背景技術】
【０００２】
従来この種の給湯装置は、キッチンユニット内に組み込まれた加熱ユニットを構成する容器内に、水道からの水を供給し、容器の底部に取付けられたヒータによって容器内の水を加熱・保温して、必要な時にキッチンユニット上部に設けられた水栓の操作によって容器内の湯を、内臓されたポンプによって汲み上げて使用するものであった（例えば、特許文献１参照）。
【特許文献１】特開２００２−１９５６５４号公報
【発明の開示】
【発明が解決しようとする課題】
【０００３】
しかしながら、前記従来の構成では、例えば容器内で保温する湯の温度が９５℃の場合、水栓から導出する湯の温度は略９５℃の１通りでしかなく、例えば上質な煎茶には７０℃前後の湯が、また玉露は５０〜６０℃の湯が適していると言われており、導出した湯をそのままでは使えず、さまして使う等の手間が必要であった。逆に、仮に７０℃前後の温度で保温すると、例えば紅茶はできるだけ熱い湯が適しているので、導出した湯を別の加熱器具等で加熱して使用する必要が出てくる。
【０００４】
また、湯を導出する間隔が長くなった場合等には経路内の湯の温度が下がってしまい少量の湯を使用する際に所定の湯温より低いものしか使用できず、更には高温で保温する場合はその分、保温のための消費電力が多くなるといった問題を有していた。
【０００５】
本発明は、前記従来の課題を解決するもので、所望の温度の湯を手軽に利用でき、かつ省エネにも優れた給湯装置を提供することを目的とする。
【課題を解決するための手段】
【０００６】
前記従来の課題を解決するために、本発明の給湯装置は、水を収容する加熱容器と、前記加熱容器底部に配され前記加熱容器内の水を加熱する第１の加熱手段を有する加熱ユニットと、水道管から前記加熱容器への給水経路に設けられ、前記加熱容器への給水を制御する給水弁と、前記加熱ユニットで加熱した湯を器体外へ吐出する出湯口を有する吐出ユニットと、前記加熱容器と前記出湯口とを連通する出湯経路と、前記加熱容器内の湯を、前記出湯経路を介して前記出湯口に輸送する導出手段と、前記出湯経路の途中に設けた分岐部と前記加熱容器とを連通する還流経路と、前記分岐部に設けた前記出湯経路又は前記還流経路のいずれかの経路に切替える切替え弁と、前記出湯経路の途中に設けた通過する湯の温度を加熱する第２の加熱手段とを備え、前記出湯経路の湯を還流経路を介して還流し、前記加熱容器の湯温とほぼ同じ温度にしたのち、前記切替え弁を切替えて前記第２の加熱手段でさらに温度を上昇せしめて吐出する構成とした。
【０００７】
この構成により、例えば加熱容器内の湯を６０℃前後で保温しておき、所望の湯の温度が保温温度より高い場合は、第２の加熱手段によって出湯経路を通過する湯を前述の温度差分だけ加熱して所望の温度まで更に上昇させてやればよい。この時、第２の加熱手段で加熱を開始する前に、切替え弁によって還流経路を形成するのと同時に導出手段を動作させて、湯を循環すれば、出湯経路内の湯温は加熱容器内のそれと殆ど等しくなり、第２の加熱手段で加熱する前の湯温が安定するため、その結果、昇温した後の湯温も安定し、吐出した湯の、所望の温度に対する誤差が少なくなり、精度が向上する。また、第２の加熱手段によって湯を加熱せずに、即ち保温温度のままで吐出して使用する場合でも、吐出の最初に出湯経路内の湯を循環させてから吐出すれば吐出した湯の温度は、保温温度に限りなく近くなる。更には、６０℃前後の比較的低い湯温で保温することにより、保温時の消費電力の低減を図ることができる。
【発明の効果】
【０００８】
本発明の給湯装置は、所望の温度の湯を手軽に利用でき、また出湯経路等に湯の熱が奪われて吐出した湯の温度が低下するのを防ぐことができ、さらには、優れた省エネ性能を発揮することができる。
【発明を実施するための最良の形態】
【０００９】
第１の発明は、水を収容する加熱容器と、前記加熱容器底部に配され前記加熱容器内の水を加熱する第１の加熱手段を有する加熱ユニットと、水道管から前記加熱容器への給水経路に設けられ、前記加熱容器への給水を制御する給水弁と、前記加熱ユニットで加熱した湯を器体外へ吐出する出湯口を有する吐出ユニットと、前記加熱容器と前記出湯口とを連通する出湯経路と、前記加熱容器内の湯を、前記出湯経路を介して前記出湯口に輸送する導出手段と、前記出湯経路の途中に設けた分岐部と前記加熱容器とを連通する還流経路と、前記分岐部に設けた前記出湯経路又は前記還流経路のいずれかの経路に切替える切替え弁と、前記出湯経路の途中に設けた通過する湯の温度を加熱する第２の加熱手段とを備え、前記出湯経路の湯を還流経路を介して還流し、前記加熱容器の湯温とほぼ同じ温度にしたのち、前記切替え弁を切替えて前記第２の加熱手段でさらに温度を上昇せしめて吐出する構成とした。
【００１０】
この構成により、例えば加熱容器内の湯を６０℃前後で保温しておき、所望の湯の温度が保温温度より高い場合は、第２の加熱手段によって出湯経路を通過する湯を前述の温度差分だけ加熱して所望の温度まで更に上昇させてやればよい。この時、第２の加熱手段で加熱を開始する前に、切替え弁によって還流経路を形成するのと同時に導出手段を動作させて、湯を循環すれば、出湯経路内の湯温は加熱容器内のそれと殆ど等しくなるため、第２の加熱手段で加熱する前の湯温が安定するため、その結果、昇温した後の湯温も安定し、吐出した湯の、所望の温度に対する誤差が少なくなり、精度が向上する。また、第２の加熱手段によって湯を加熱せずに、即ち保温温度のままで吐出して使用する場合でも、吐出の最初に出湯経路内の湯を循環させてから吐出すれば吐出した湯の温度は、保温温度に限りなく近くなる。更には、６０℃前後の比較的低い湯温で保温することにより、保温時の消費電力の低減が図れるのである。
【００１１】
第２の発明は、特に第１の発明の第２の加熱手段を導出手段と分岐部との間の経路の途中に設ける構成としたことにより、湯を器体外へ吐出する前に第２の加熱手段によって上昇した湯温が所望の温度に達するまでの間は、切替え弁によって還流経路を形成するのと同時に導出手段を動作させて、湯を循環させることにより、吐出した湯の、所望の温度に対する誤差が更に少なくなり、精度が飛躍的に向上する。
【００１２】
第３の発明は、特に第１の発明の第２の加熱手段を分岐部と出湯口との間の経路の途中に設ける構成としたことにより、第２の加熱手段から出湯口までの出湯経路を短くすることができ、加熱された湯が出湯口に到達するまでの温度低下を低減できる。また、第２の加熱手段の配設位置を加熱容器の満水位置よりも高くすることが容易であるため、吐出を停止した後に器体内に残る湯は、第２の加熱手段近傍には存在しなくなるので、第２の加熱手段の余熱によって残りの湯が必要以上に加熱することが防止できる。
【００１３】
第４の発明は、特に第１〜３の発明のいずれか１つの発明の構成において、第２の加熱手段によって加熱された湯の温度を検知する第２の温度検知手段を配し、これにより得た温度情報によって前記第２の加熱手段への電力供給量の調節を行なうことにより、所望の湯温との差を少なくすることが容易となる。
【００１４】
第５の発明は、特に第１〜３の発明のいずれか１つの発明の構成において、出湯経路のうち、第２の加熱手段を配した箇所を通過する前の湯の温度を検知する第３の温度検知手段を具備したことにより、事前に加熱に必要な電力を予測でき、即応性が向上する。
【００１５】
第６の発明は、特に第１〜３の発明のいずれか１つの発明の構成において、第２の加熱手段の発熱部分の形状を略円筒状に形成して、湯を円筒部の少なくとも内側を通過させることにより、発熱部分から、通過する湯への熱伝達性能が向上して効率よく加熱でき、加熱のロスが低減でき省エネが図れる。
【００１６】
第７の発明は、水を収容する加熱容器と、加熱容器底部に配され加熱容器内の水を加熱する第１の加熱手段とを有する加熱ユニットと、水道管から加熱容器への給水経路に設けられ、加熱容器への給水を制御する給水弁と、加熱ユニットで加熱した湯を器体外へ吐出する出湯口を有する吐出ユニットと、加熱容器と出湯口とを連通する出湯経路と、加熱容器内の湯を、出湯経路を介して出湯口に輸送する導出手段とを備えるとともに、出湯経路の途中に貯湯部を設け、貯湯部内の湯の温度を更に上昇せしめることにより、更に加熱すべき湯を一旦貯湯部に貯めて加熱するので、吐出しながら加熱するのに比べて、湯温の制御が容易であり精度向上が図れる。
【００１７】
第８の発明は、特に第７の発明における出湯経路の途中を分岐して、加熱容器と分岐部を連通する還流経路を設け、分岐部に経路の切替えを行なう切替え弁を配し、出湯経路又は還流経路のいずれかを択一的に形成することにより、必要な量を吐出した後の貯湯部内の残り湯を、切替え弁によって還流経路を形成するのと合わせて導出手段を動作させて、湯を循環させることで、加熱により保温温度以上になった湯を加熱容器内に戻して、次の吐出に備えての待機状態に速やかに移行できる。
【００１８】
第９の発明は、特に第７の発明における出湯経路のうち、導出手段と貯湯部との間の経路中に開閉弁を配することにより、開閉弁を閉じた状態においては貯湯部が湯を貯めるための形状や姿勢の制約が少なくなるので本体の小型化等を図れる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における給湯装置の断面図であり、キッチンユニットに組込まれた状態を示している。以下、図面を用いて説明する。
【００２１】
キッチンユニット１内に配された水道管２は、チーズ３によって分岐されている。給湯装置の加熱ユニット本体４の内部には水道水を収容して加熱する加熱容器５が配されている。加熱容器５の底部には、収容した水道水を加熱するための第１の加熱手段である第１のヒータ６及び、加熱容器５内の水温を検知するための第１の温度検知手段である第１の湯温センサ７が取付けられており、制御回路８によって第１の湯温センサ７からの温度情報を取り込んで第１のヒータ６をＯＮ−ＯＦＦ制御することによって湯沸かし及び所定の水温での保温を行う。
【００２２】
加熱容器５への給水の制御は給水弁９によって行なわれ、水道水は給水ホース１０からなる給水経路を介して加熱容器５内へ給水される。加熱容器５内の湯は、導出手段であるポンプ１１によって吐出ユニット１２に圧送される。ポンプ１１の吸込み口は加熱容器５の底部に配された吸込み管１３に接続され、吐出口は出湯経路１４を介して吐出ユニット１２の出湯口１５に接続されている。
【００２３】
出湯経路１４の途中には分岐部１６が形成され、この分岐部１６と加熱容器５とを連通する還流経路１７が設けられている。分岐部１６には、経路の切替えを行なう切替え弁１８が配されている。そして、この切替え弁１８の動作により、分岐部１６の開口部を切替えることで、ポンプ１１によって圧送された湯を出湯口１５に送って器体外に導出するか、あるいは還流経路１７を経て加熱容器５へ還流させるかを択一的に選択できる。
【００２４】
図１における切替え弁１８の位置は、加熱容器５の底部と出湯口１５とが連通し、加熱容器５内の湯を器体外に吐出するための一連の出湯経路１４を形成した状態で、この状態で吐出ユニット１２に設けられた出湯スイッチ１９を操作してポンプ１１を運転することにより加熱容器５内の湯が導出されて、これを飲用あるいは調理用として利用できる構成としている。
【００２５】
出湯経路１４の途中には通過する湯を加熱して更に温度を上昇させるための第２の加熱手段である第２のヒータ２０が配設されており、第２のヒータ２０は出湯経路のうちの、ポンプ１１と分岐部１６との間の経路の途中の位置に設けられている。
【００２６】
加熱容器５内の水位の検知は、その側面に取付けられた水位検知手段２１で行なわれる。水位検知手段２１は導電性材質からなるコモン電極棒２２をはじめとする複数の電極棒を有しており、加熱容器５内の水面の昇降によって、コモン電極棒２１と水を介して電気的な接続の有無、つまりコモン電極棒２１と各電極棒間に流れる電流の変化を制御回路で判断することによって水位を検知する。
【００２７】
加熱容器５内には、給水を一時的に貯めて、徐々に水を投入するための給水バッファ２３が配されており、水受け部２４とそれに接合されている滴下パイプ２５から構成されており、給水された水道水は一旦水受け部２４に貯められた後、滴下パイプ２５を通って加熱容器５の底部に徐々に投入される。滴下パイプ２５下端の開口２６の位置は吸込み管１３上端の開口２７の位置よりも低い位置に設定してあるため、保温中或いは湯沸かし中の湯の導出と、給水とが同時期であっても、ポンプ１１が、給水されたばかりの冷たい水を吸い込むことが殆どないため、湯を使いながら湯沸しすることが実使用上問題なく行なえるので、待ち時間を殆どなくすことができる。
【００２８】
また、吐出ユニット１２には、出湯スイッチ１９の動作を電気的あるいは機械的にロックするロック手段２８が設けてあり、この場合、このロックを解除した後に出湯スイッチ１９を操作して、湯を導出する。
【００２９】
図２及び図３は分岐部１６周辺を示す要部断面図で、図２において切替え弁１８は、加熱容器５内の湯を器体外に導出する一連の出湯経路を形成した状態にあり、この状態でポンプ１１を運転することにより加熱容器５内の湯が吐出ユニット１２の出湯口１５から器体外に導出される。図３においては、切替え弁１８は加熱容器５内への一連の還流経路を形成した状態であり、この状態でポンプ１１を運転することにより加熱容器５内の湯は循環するのである。
【００３０】
以上のように構成された給湯装置について、以下その動作、作用を説明する。ここでは仮に加熱容器５内の保温温度を約６０℃に設定する。この場合において、もし８５℃の湯を使いたい時には、機器の動作としては、まず切替え弁１８を動作させて分岐部１６の開口部を切替えて、出湯経路１４の一部と還流経路１７によって構成される加熱容器５内への一連の還流経路を形成した状態にするのに合わせてポンプ１１を運転する。これによって加熱容器５内及び、一連の還流経路１７内の湯は循環し、その結果出湯経路内１４の湯温は加熱容器５内の保温温度の６０℃と殆ど等しくなる。この状態において、切替え弁１８を再び動作させて分岐部１６の開口部を切替えて、加熱容器５内の湯を器体外に導出する一連の出湯経路を形成した状態にするのに合わせてポンプ１１を運転すると共に、第２のヒータ２０に通電し、出湯経路１４を通過する湯の温度を更に上昇させて、所望の温度である８５℃の湯にして、吐出ユニット１２の出湯口１５より吐出する。
【００３１】
ここで、第２のヒータ２０での所要発熱量は、ポンプ１１の能力、即ち単位時間当たりに出湯経路１４を通過する湯と、必要な昇温値、即ち所望の湯温と保温温度の差によってほぼ決まるので、それに見合う発熱量を発生させる電力を第２のヒータ２０に供給すればよい。
【００３２】
従って、吐出する湯の温度を幾通りかに設定可能にしておけば、所望の温度の湯を、好きな時に殆ど待たずして利用できる。
【００３３】
もちろん、保温温度すなわち、本実施の形態では６０℃のままで吐出することも可能であるのは言うまでもない。更に、６０℃前後の比較的低い湯温で保温することにより、保温時の消費電力の低減を図ることができる。
【００３４】
なお、ポンプ１１による循環及び吐出や、第２のヒータ２０での加熱、あるいは切替え弁１８の動作等のタイミングは前述のものに限定されるものではない。
【００３５】
また、本発明において、保温温度は約６０℃に限定されるものでも、また１通りの保温温度の設定に限定されるものではなく、複数の保温温度を選定できるようにしても良いのはもちろんである。
【００３６】
（実施の形態２）
図４は、本発明の第２の実施の形態における給湯装置の縦断面図である。なお、本実施の形態の基本構成は実施の形態１と同じなので異なる点を中心に説明する。また、実施の形態１と同じ構成には同じ符号を付しその説明は省略する。
【００３７】
図４において、第２のヒータ２０は出湯経路１４のうち分岐部１６と出湯口１５との間の経路の途中に配されており、その位置から出湯口１５寄りには、第２のヒータ２０によって加熱された湯の温度を検知する第２の温度検知手段である第２の湯温センサ２９が取付けられており、また、出湯経路１４のうち、第２のヒータ２０を配した位置からポンプ寄りに、出湯経路１４を通過する湯の温度を検知する第３の温度検知手段である第３の湯温センサ３０が取付けられている。
【００３８】
以上のような構成にすることにより、出湯経路１４のうち、第２のヒータ２０から出湯口１５までの部分の距離を短くすることができ、加熱された湯が出湯口１５に到達するまでの温度低下を低減できる。また、第２のヒータ２０の配設位置を加熱容器５の満水位置よりも高くすることが容易であるため、吐出を停止した後に器体内に残る湯は、第２のヒータ２０近傍には存在しなくなるので、第２のヒータ２０の余熱によって残りの湯が必要以上に加熱されることが防止できる。
【００３９】
また、第２の湯温センサ２９を配することにより、加熱された湯の温度情報を制御回路８にフィードバックして、第２のヒータ２０への電力供給量を調節して、所望の湯温との差を少なくすることが容易となる。
【００４０】
また、第３の湯温センサ３０を配することにより出湯経路１４の、第２のヒータが配された箇所を通過する湯の温度、つまり加熱直前の湯温を検知することによって事前に加熱に必要な電力を正確に予測でき、即応性が向上する。
【００４１】
（実施の形態３）
図５は、本発明の第３の実施の形態における給湯装置の断面図である。なお、本実施の形態の基本構成は実施の形態１と同じなので異なる点を中心に説明する。また、実施の形態１と同じ構成には同じ符号を付しその説明は省略する。
【００４２】
図５において、第２のヒータ３１は、その発熱部分が略円筒状に形成してあり、その両端は各々第１の出湯経路３２及び第２の出湯経路３３の端部に接続されており、第２のヒータ３１の発熱部分は出湯経路の一部を形成している。
【００４３】
この構成により、発熱部分から、通過する湯への熱伝達性能が向上して湯を効率よく加熱し、加熱のロスが低減できるため省エネが図れる。
【００４４】
（実施の形態４）
図６は、本発明の第４の実施の形態における給湯装置の断面図であり、キッチンユニットに組込まれた状態を示している。なお、本実施の形態の基本構成は実施の形態１と同じなので異なる点を中心に説明する。また、実施の形態１と同じ構成には同じ符号を付しその説明は省略する。
【００４５】
図６において、出湯経路の途中には貯湯部３４が配されており、その外壁には第２のヒータ３５が取付けられている。また、貯湯部３４の入口及び出口は各々第１の出湯経路３６及び第２の出湯経路３７の端部に接続されており、貯湯部３４は出湯経路の一部を形成している。そして、貯湯部３４には、その中の湯温を検知する第４の温度検知手段３８が配されている。
【００４６】
一連の出湯経路の途中は分岐され、加熱容器５と分岐部１６を連通する還流経路１７を設けており、分岐部１６に経路の切替えを行なう切替え弁１８を配し、一連の出湯経路又は一連の還流経路のいずれかを択一的に形成するようにしている。
【００４７】
また、ポンプ１１と貯湯部３４との間の経路中には開閉弁３９が配されている。
【００４８】
以上のような構成により、更に加熱すべき湯を一旦貯湯部３４に貯めて加熱するので、吐出しながら加熱するのに比べて、湯温の制御が容易であり精度向上が図れる。
【００４９】
また、切替え弁１８を配し、出湯経路又は還流経路のいずれかを択一的に形成することにより、必要な量を吐出した後の貯湯部３４内の残り湯を、切替え弁１８によって還流経路を形成するのと合わせてポンプ１１を動作させて、湯を循環させることで、加熱により保温温度以上になった湯を加熱容器５内に戻して、次の吐出に備えての待機状態に速やかに移行できる。
【００５０】
さらには、ポンプ１１と貯湯部３４との間の経路中に開閉弁３９を配することにより、開閉弁３９を閉じた状態においては貯湯部３４が湯を貯めるための形状や姿勢の制約が少なくなるので本体の小型化等を図れる。
【００５１】
なお、本実施の形態では貯湯部３４に湯を貯えそれを吐出する構成としているので、貯湯部３４の温度を適切に設定することにより、還流経路を設けない構成であっても、設けた構成とほぼ同程度の温度精度の高い湯を吐出することができる。
【産業上の利用可能性】
【００５２】
以上のように、本発明にかかる給湯装置は、所望の温度の湯を手軽に利用でき、また出湯経路等に湯の熱が奪われて吐出した湯の温度が低下するのを防ぐことができるので、キッチンユニットに組み込む形態の給湯装置、据え置き型の給湯装置、あるいは、その他の建造物などに組み込むような給湯機器にも適用できる。
【図面の簡単な説明】
【００５３】
【図１】本発明の第１の実施の形態における給湯装置の断面図
【図２】同給湯装置の分岐部周辺の要部断面図
【図３】同給湯装置の分岐部周辺の要部断面図
【図４】本発明の第２の実施の形態における給湯装置の断面図
【図５】本発明の第３の実施の形態における給湯装置の要部断面図
【図６】本発明の第４の実施の形態における給湯装置の断面図
【符号の説明】
【００５４】
２  水道管
４  加熱ユニット本体
５  加熱容器
６  第１のヒータ（第１の加熱手段）
９  給水弁
１０  吸水ホース（給水経路）
１１  ポンプ（導出手段）
１２  吐出ユニット
１４  出湯経路
１５  出湯口
１６  分岐部
１７  還流経路
１８  切替え弁
２０、３１、３５  第２のヒータ（第２の加熱手段）
２９  第２の湯温センサ（第２の温度検知手段）
３０  第３の湯温センサ（第３の温度検知手段）
３４  貯湯部
３９  開閉弁
【図１】
2005214464.tif 000003
【図２】
2005214464.tif 000004
【図３】
2005214464.tif 000005
【図４】
2005214464.tif 000006
【図５】
2005214464.tif 000007
【図６】
2005214464.tif 000008